(57)【要約】【課題】引出し本体の意図しない脱落を防止するとともに、引出し本体の使用時における上下方向および左右方向のガタツキを防止することができる引出しを提供すること。【解決手段】左右に離間して設けられた一対の引出しレール１０３からなる支持部を備える什器１００に設けられ、上向きに開口された箱状に形成され、左右側面にそれぞれ形成された被支持部１４を支持部１０３に支持させることによって前後方向に引出し可能な引出し本体１１と、引出し本体１１の側板１４の上面と什器１００との上部間隙よりもわずかに小さい厚みの上塞ぎ片２４と、上塞ぎ片２４の側端から下方に向かって延設され、引出し本体１１の側板１４の側面と什器１００との側部間隙よりもわずかに小さい厚みの横塞ぎ片とを有する抜け止め部材２２とを備え、抜け止め部材２２は、引出し本体１１を支持部１０３に取り付けた状態で引出し本体１１の側板１４上に取り付けられる。【選択図】図１
2015085024.tif 000002
【特許請求の範囲】
【請求項１】
左右に離間して設けられた一対のレールからなる支持部を備える什器に設けられる引出しであって、
上向きに開口された箱状に形成され、左右側面にそれぞれ形成された被支持部を前記支持部に支持させることによって前後方向に引出し可能な引出し本体と、
前記引出し本体の側板の上面と前記什器との上部間隙よりも小さい厚みの上塞ぎ片と、前記上塞ぎ片の側端から下方に向かって延設され、前記引出し本体の前記側板の側面と前記什器との側部間隙よりも小さい厚みの横塞ぎ片と、を有する抜け止め部材と、
を備え、
前記抜け止め部材は、前記引出し本体を前記支持部に取り付けた状態で前記引出し本体の前記側板上に着脱可能に取り付けられることを特徴とする引出し。
【請求項２】
前記什器は、前記引出し本体の前記側板の上面に対向する面に、下方に向かって突出して前後方向を向く前後に長手の突出部を有し、
前記突出部の下面は、前記抜け止め部材の前記上塞ぎ片の上面に近接して配置されることを特徴とする請求項１に記載の引出し。
【請求項３】
前記抜け止め部材は、前記上塞ぎ片から上方に向かって上向き片が延設されており、前記什器における前記引出し本体の前記側板の上面への対向面と、前記側板の側面への対向面との交差する隅部に、前記上向き片の上端部が近接して配置されることを特徴とする請求項１または２に記載の引出し。
【請求項４】
前記抜け止め部材の前記上塞ぎ片は、前記上向き片の側面が、前記突出部の側面に近接して配置されることを特徴とする請求項３に記載の引出し。
【発明の詳細な説明】
【技術分野】
【０００１】
本発明は、引出しに関する。
【背景技術】
【０００２】
オフィスや公共施設等における執務空間において使用される什器には、物品を収容するための引出しが設けられている。こうした引出しは、什器に設けられた一対のレールに引出し本体の側面が支持されている。これにより、引出本体は、什器に対して前後に引出し可能にレールに支持されている。この引出しは、引出し本体を一対のレール間に前方から差し込んで取り付け、前方に引出すことによって取り外すことが可能な構造になっている。ただし、通常時に使用する際の引出しの操作方向と、引出し本体の着脱方向とが同一であるため、引出し本体を使用者が所定寸法以上引き出してしまうと、引出し本体が什器から脱落してしまう。そこで、レールに抜止部を形成し、引出し本体を前方に引き出したときに、引出し本体に設けた被係止部を抜け止め部に係止させることによって、引出し本体の脱落を防止する構造が提案されている。
しかし、上記の構造においては、引出し本体を簡単に着脱することが難しい。そこで、引出し本体の前方部を後方部よりも上方に位置させることによって、レールの抜け止め部と引出し本体の被係止部との係止を回避させるようにした引出しが提案されている（例えば、特許文献１、特許文献２参照）。
特許文献１、特許文献２によれば、引出し本体を前方に引出しただけではレールから脱落することがなく、使用時の安全性を高めることができる。
【先行技術文献】
【特許文献】
【０００３】
【特許文献１】実公平０７−０２５０７０号公報
【特許文献２】特開２０１１−０４２９９９号公報
【発明の概要】
【発明が解決しようとする課題】
【０００４】
しかしながら、特許文献１及び特許文献２に開示された先行技術では、引出し本体を斜め前方から着脱可能とするためには、引出し本体とレールとの間に十分な大きさの隙間を形成する必要がある。従って、特許文献１及び特許文献２に開示された先行技術では、通常の使用時に、引出し本体の上下方向および左右方向のガタツキ（がたつき）が大きくなってしまう。
本発明の目的は、引出し本体の意図しない脱落を防止するとともに、引出し本体の使用時における上下方向および左右方向のガタツキを防止することができる引出しを提供することである。
【課題を解決するための手段】
【０００５】
本発明の一態様は、左右に離間して設けられた一対のレールからなる支持部を備える什器に設けられる引出であって、上向きに開口された箱状に形成され、左右側面にそれぞれ形成された被支持部を前記支持部に支持させることによって前後方向に引出し可能な引出し本体と、前記引出し本体の側板の上面と前記什器との上部間隙よりも小さい厚みの上塞ぎ片と、前記上塞ぎ片の側端から下方に向かって延設され、前記引出し本体の前記側板の側面と前記什器との側部間隙よりも小さい厚みの横塞ぎ片と、を有する抜け止め部材と、を備え、前記抜け止め部材は、前記引出し本体を前記支持部に取り付けた状態で前記引出し本体の前記側板上に着脱可能に取り付けられることを特徴とする引出しである。
【０００６】
前記什器は、前記引出し本体の前記側板の上面に対向する面に、下方に向かって突出して前後方向を向く前後に長手の突出部を有し、前記突出部の下面は、前記抜け止め部材の前記上塞ぎ片の上面に近接して配置されるようにしてもよい。
【０００７】
前記抜け止め部材は、前記上塞ぎ片から上方に向かって上向き片が延設されており、前記什器における前記引出し本体の前記側板の上面への対向面と、前記側板の側面への対向面との交差する隅部に、前記上向き片の上端部が近接して配置されてもよい。
【０００８】
前記抜け止め部材の前記上塞ぎ片は、前記上向き片の側面が、前記突出部の側面に近接して配置されてもよい。
【発明の効果】
【０００９】
本発明によれば、引出し本体の意図しない脱落を防止するとともに、引出し本体の使用時における上下方向および左右方向のガタツキを防止することができる引出しを提供することができる。
【図面の簡単な説明】
【００１０】
【図１】本発明の引出しの一例を備える什器の分解斜視図である。
【図２】同什器に設けられた引出しレールの縦断面図である。
【図３】同引出しに備える抜け止め部材の引出しへの取付け前の斜視図である。
【図４】同引出しに備える抜け止め部材周りの縦断面図である。
【図５】同引出しを収めた什器の縦断面図である。
【図６】同引出しを引き出した什器の縦断面図である。
【発明を実施するための形態】
【００１１】
本発明の一実施形態の引出しについて説明する。
以下、本発明に係る引出しの一実施形態を、図１から図６を参照しながら説明する。ただし、本発明は、以下に説明する実施形態に限定されるものではない。また、図面においては、実施形態を説明するため、模式的に記載するとともに、一部分を大きくまたは強調して記載するなど適宜縮尺を変更して表現している。
【００１２】
図１は、本発明の引出しの一例を備える什器の分解斜視図である。図１に示すように、什器１００は、天板１０１と、天板１０１の四隅に取り付けられた支柱１０２と、一対の引出しレール１０３と、を備え、引出し１０を引出し可能に設けている。
引出しレール１０３は、支持部として機能し、垂直断面視コ字形状に形成されて天板１０１の下面に左右に離間して取り付けられている。なお、支柱１０２は、天板１０１の下面に固定されている不図示の横材に取り付けられている。
引出し１０は、上向きに開口された箱状に形成されており、前板１２と、後板１３と、被支持部として機能する一対の側板１４、１４と、底板１５と、を引出し本体１１に備える。前板１２は、下方に使用者が手で引っ張るための取手部１６を有する。側板１４は、左右側面にそれぞれ設けられている。側板１４は、底板１５に接続された側板本体部１７と、天板１０１に平行に配置される側板天部１８と、側板天部１８の端部から下方に向けて垂下した側板垂下部１９と、を有する。
【００１３】
図２は、什器１００に設けられた引出しレール１０３の縦断面図である。図２に示すように、引出しレール１０３は、レール天板１０４と、レール底板１０５と、レール側板１０６と、を有する。レール天板１０４の下面には、後端から前端寄りの部分までの前後に長手の突出部１０７を有する。突出部１０７は、引出し本体１１の側板天部１８に対向する面に、下方に向かって突出しており、前端にレール天板１０４に傾斜して接続される段部１０８を有する。すなわち、突出部１０７は、レール天板１０４の下面における後端から前端寄りの部分までの長さを有し、前端寄りから前端までの部分に設けられていない。レール底板１０５の前端部の上面には、樹脂製のレール側のスライダー１０９が取り付けられている。
【００１４】
図３は、引出しに備える抜け止め部材の引出しへの取付け前の斜視図である。図３に示すように、引出し１０の側板本体部１７には、側板本体部１７の長手方向に切除された角孔２０を有する。引出し１０の側板垂下部１９には、側板天部１８に平行な側板底部２１が接続されている。そして、引出し１０は、抜け止め部材２２を備える。抜け止め部材２２は、例えば、樹脂製であって、取付片２３と、上塞ぎ片２４と、横塞ぎ片２５と、上向き片２６と、を備える。取付片２３と、上塞ぎ片２４と、横塞ぎ片２５と、は垂直断面視コ字形状に形成されている。
取付片２３は、垂直に長さを有して形成されており、下端部の横塞ぎ片２５側の面に側板本体部１７の角孔２０に嵌入される固定突部２７を長手方向に有する。上塞ぎ片２４は、取付片２３の上端から側板天部１８に略平行に形成されており、上方に向けて突出するガイド突起２８を長手方向に有する。横塞ぎ片２５は、上塞ぎ片２４の側端から垂下して形成されている。上向き片２６は、上塞ぎ片２４の外方の端部において上方向に向けて突出して形成されている。
抜け止め部材２２は、取付片２３と横塞ぎ片２５とが、間隔を狭める方向に弾性反発力を蓄積している。そして、抜け止め部材２２は、取付片２３の固定突部２７の側板本体部１７の角孔２０への嵌入に伴い、側板１４に固定される。
【００１５】
図４は、引出しに備える抜け止め部材周りの縦断面図である。図４に示すように、上塞ぎ片２４は、側板天部１８の上面と引出しレール１０３のレール天板１０４との上部間隙寸法Ｌ１よりも小さい厚み寸法Ｌ２を有する。横塞ぎ片２５は、側板垂下部１９とレール側板１０６との側部間隙寸法Ｌ３よりもわずかに小さい厚み寸法Ｌ４を有して、レール側板１０６に近接して配置される。上塞ぎ片２４のガイド突起２８は、レール天板１０４の突出部１０７に近接して配置される。上向き片２６は、レール天板１０４の突出部１０７とレール側板１０６との間の隅部に挿入されて、レール天板１０４およびレール側板１０６に近接して配置される。上向き片２６の側面は、突出部１０７の側面に近接して配置される。側板底部２１は、レール底板１０５のスライダー１０９によって摺動可能に支持される。
【００１６】
次に、引出し１０の作用について説明する。図５は、引出しを収めた什器の縦断面図である。図６は、引出しを引き出した什器の縦断面図である。図５に示すように、側板底部２１の後端には、樹脂製の引出し側のスライダー２９が取り付けられている。そのため、引出し本体１１は、その前部がレール底板１０５のスライダー１０９に、その後部が側板底部２１のスライダー２９によって、それぞれ支持されている。
このとき、抜け止め部材２２は、引出しレール１０３の後端に位置している。横塞ぎ片２５は、レール側板１０６に近接して配置されている。上塞ぎ片２４のガイド突起２８は、レール天板１０４の突出部１０７に近接して配置されている。上向き片２６は、レール天板１０４の突出部１０７とレール側板１０６との間の隅部に挿入されて、レール天板１０４およびレール側板１０６に近接して配置されている。
【００１７】
図６に示すように、引出し１０を什器１００から引き出す場合、引出し本体１１は、側板底部２１がレール底板１０５のスライダー１０９に支持されながら、引出しレール１０３の前端まで摺動されてくる。
このとき、上塞ぎ片２４のガイド突起２８は、レール天板１０４の突出部１０７に近接して配置されている。そして、上向き片２６は、レール天板１０４の突出部１０７とレール側板１０６との間の隅部に挿入されてレール天板１０４およびレール側板１０６に近接して配置されている。そのため、引出し本体１１は、引出し時に、上下方向のガタツキが防止される。そして、横塞ぎ片２５は、レール側板１０６に近接して配置されている。そのため、引き出し本体１１は、引出し時に、左右方向のガタツキが防止される。
【００１８】
その後に、引出し１０が什器１００に対して引出し端部まで引き出された場合、抜け止め部材２２は、引出しレール１０３の前端に位置する。このとき、側板底部２１のスライダー２９がレール底板１０５のスライダー１０９に衝突する。上向き片２６は、レール天板１０４およびレール側板１０６に近接して配置される。また、横塞ぎ片２５は、レール側板１０６に近接して配置される。そのため、引出し本体１１は、什器１００に対して意図しない脱落が防止される。
【００１９】
ここで、引出し１０を什器１００から引き抜く場合、抜け止め部材２２は、引出しレール１０３の前端に位置している。このときにおいても、上向き片２６がレール天板１０４およびレール側板１０６に近接して配置されているので、引出し本体１１の上方への変位は許容されない。本実施形態では、引出し１０を什器１００から引き抜くためには、抜け止め部材２２が引出し本体１１から取り外すことが必要となる。抜け止め部材２２が引出し本体１１から取り外された後は、引出し本体１１を上方へ変位させることによって引出し本体１１が各引出しレール１０３から引き抜かれる。
【００２０】
次に、引出し本体１１に抜け止め部材２２を取り付ける場合について説明する。
まず、引出し本体１１を前端まで引き出した状態で、天板１０１よりも前方に配置された側板天部１８に、抜け止め部材２２の取付片２３、上塞ぎ片２４、および横塞ぎ片２５からなる下向きコ字状の開口部を上方から係止させる。その後、抜け止め部材２２を側板天部１８に沿って後方へスライドさせて、抜け止め部材２２の取付片２３の固定突起２７を引出し本体１１の側板本体部角孔２０に挿入する。これにより、抜け止め部材２２の取付片２３の固定突起２７は、引出し本体１１の側板本体部角孔２０に係止される。固定突起２７が側板本体部角孔２０に係止されることによって、抜け止め部材２２が引出し本体１１に取り付けられ、抜け止め部材２２は引出し本体１１から外れにくくなる。
【００２１】
このように、本実施形態の引出し１０によれば、抜け止め部材２２の上塞ぎ片２４が、引出し本体１１の側板天部１８と引出しレール１０３のレール天板１０４との上部間隙に挿入され、抜け止め部材２２の横塞ぎ片２５が、引出し本体１１の側板垂下部１９と引出しレール１０３のレール側板１０６との側部間隙に挿入される。従って、引出し１０は、引出し本体１１の意図しない脱落を防止するとともに、使用時における上下方向および左右方向のガタツキを防止することができる。
【００２２】
また、引出し１０によれば、抜け止め部材２２の上塞ぎ片２４の上面が突出部１０７の下面に近接して配置されるために、引出し本体１１と突出部１０７との当接面を小さくすることができる。従って、引出し１０によれば、ガタツキを防止しながら、引出し本体１１と引出しレール１０３とが当接した際の摺動抵抗を低減し、引出し本体１１の開閉動作を円滑なものにできる。
【００２３】
また、引出し１０によれば、抜け止め部材２２の上向き片２６が、レール天板１０４の突出部１０７とレール側板１０６との間の隅部に挿入されて、レール天板１０４およびレール側板１０６に近接して配置されるために、通常の使用時における上下方向および左右方向のガタツキを防止でき、使い勝手を良好なものとすることができる。
【００２４】
また、引出し１０によれば、抜け止め部材２２の上塞ぎ片２４における上向き片２６の側面が、突出部１０７の側面に近接して配置されるために、通常の使用時における上下方向および左右方向のガタツキを防止でき、使い勝手を良好なものとすることができる。
【００２５】
以上、本発明の実施形態について図面を参照して詳述したが、具体的な構成はこの実施形態に限られるものではなく、本発明の要旨を逸脱しない範囲の設計変更等も含まれる。
【００２６】
例えば、抜け止め部材２２は、一方の側板１４に取り付けた場合を図示したが、一方の側板１４のみに代えて、両方の側板１４に取り付けてもよい。その場合、引出し本体１１の上下方向および左右方向のガタツキを、より確実に防止することができる。
【符号の説明】
【００２７】
１０  引出し
１１  引出し本体
１２  前板
１３  後板
１４  側板
１５  底板
１６  引掛け部
１７  側板本体部
１８  側板天部
１９  側板垂下部
２０  角孔
２１  側板底部
２２  抜け止め部材
２３  取付片
２４  上塞ぎ片
２５  横塞ぎ片
２６  上向き片
２７  固定突部
２８  ガイド突起
２９、１０９  スライダー
１００  什器
１０１  天板
１０２  支柱
１０３  引出しレール
１０４  レール天板
１０５  レール底板
１０６  レール側板
１０７  突出部
１０８  段部
【図１】
2015085024.tif 000003
【図２】
2015085024.tif 000004
【図３】
2015085024.tif 000005
【図４】
2015085024.tif 000006
【図５】
2015085024.tif 000007
【図６】
2015085024.tif 000008